(57)【特許請求の範囲】
【請求項１】
テープ状記録媒体のテープ上を走査する磁気ヘッドと、
前記磁気ヘッドによってテープ上に複数のトラックを形成し、前記トラックに対して基準信号と音声信号とを多重して記録する記録手段と、
前記磁気ヘッドによって前記テープ状記録媒体のトラックから信号を再生する再生手段と、
前記再生手段から出力された信号のレベルを検出する検出手段と、
前記再生手段から出力された信号中の前記基準信号に基づいてトラッキングエラー信号を生成し、前記トラッキングエラー信号を用いて前記テープ状記録媒体上のトラックと前記磁気ヘッドとの間のトラッキングを制御するトラッキング制御手段とを有し、
前記テープ状記録媒体の記録済みトラックに前記音声信号を記録する際、
前記記録手段は、所定数の前記記録済みトラック群のうちの一部のトラックに対して前記記録済みトラック群毎に繰り返し前記音声信号の記録を行い、
前記トラッキング制御手段は、前記検出手段により検出された、前記一部のトラックの直後のトラックから再生された信号のレベルに応じて、前記トラッキングエラー信号の値を変更することにより前記テープ状記録媒体のトラックと前記磁気ヘッドとの間のトラッキングシフト量を調整することを特徴とする記録再生装置。
【請求項２】
テープ状記録媒体のテープ上を走査する磁気ヘッドを備えた記録再生装置による記録再生方法であって、
前記磁気ヘッドによってテープ上に複数のトラックを形成し、前記トラックに対して基準信号と音声信号とを多重して記録する記録ステップと、
前記磁気ヘッドによって前記テープ状記録媒体のトラックから信号を再生する再生ステップと、
前記再生ステップにより再生された信号のレベルを検出する検出ステップと、
前記再生ステップにより再生された信号中の前記基準信号に基づいてトラッキングエラー信号を生成し、前記トラッキングエラー信号を用いて前記テープ状記録媒体上のトラックと前記磁気ヘッドとの間のトラッキングを制御するトラッキング制御ステップとを有し、
前記テープ状記録媒体の記録済みトラックに前記音声信号を記録する際、
前記記録ステップでは、所定数の前記記録済みトラック群のうちの一部のトラックに対して前記記録済みトラック群毎に繰り返し前記音声信号の記録を行い、
前記トラッキング制御ステップでは、前記検出ステップにより検出された、前記一部のトラックの直後のトラックから再生された信号のレベルに応じて、前記トラッキングエラー信号の値を変更することにより前記テープ状記録媒体のトラックと前記磁気ヘッドとの間のトラッキングシフト量を調整することを特徴とする記録再生方法。
【発明の詳細な説明】
【０００１】
【発明の属する技術分野】
本発明は、アフレコ、ＡＶインサート記録等のインサート記録を行うＶＴＲ等に用いて好適な記録再生装置及び記録再生方法に関するものである。
【０００２】
【従来の技術】
図２は従来のＶＴＲを用いて行われるインサート編集システムの要部を示す構成図である。
図１において、３は回転ドラム、１、２は回転ドラム３に搭載され、互いに異なるアジマス角を有するヘッドａ及びヘッドｂ、５は記録テープ、７は記録テープ５を給送するキャプスタンモータ、４はヘッド１、２の切替えタイミングを制御し、記録テープ５に対するビデオ情報及びパイロット信号（ｆ１、ｆ２）の記録再生を行うビデオ情報＆パイロット信号処理部、６は上記信号処理部４より出力されるヘッド切替えタイミング信号により決定されるタイミングで、上記信号処理部４より出力されるパイロット信号を処理し、キャプスタンモータ７を制御するトラッキング制御部である。
【０００３】
図３は民生用デジタルＶＴＲのフォーマットであるＨＤデジタルＶＣＲ評議会により提案されたＳＤフォーマット方式で形成される上記記録テープ５のトラックパターンを示す。
図３において、８は上記ヘッドａ、ヘッドｂ（１、２）で記録されたトラックであり、ＮＴＳＣの場合は、ビデオ情報は１フレーム当たり１０本のトラック（Ｎｏ．１〜Ｎｏ．１０）にまたがってセグメント記録される。
【０００４】
また、各トラックはＩＴＩ領域９、Ａｕｄｉｏ領域１０、Ｖｉｄｅｏ領域１１、Ｓｕｂｃｏｄｅ領域１２の４つの領域で構成されている。ヘッドｂで記録再生が行われる偶数トラックには、ビデオ情報と共に２種類のパイロット信号情報（ｆ１、ｆ２）が交互に重畳記録されており、奇数トラックを記録再生するヘッドａは、上記ビデオ領域１１から再生されるパイロット信号ｆ１、ｆ２の再生レベルに基づいてヘッドのトラッキング状態を検出し、検出結果に応じて上記トラッキング制御部６がトラッキング制御を行う。
【０００５】
図４はインサート編集の代表的な一例として挙げられるアフレコ記録及びＡＶインサート記録時のトラックパターンを示す図である。ＳＤフォーマット方式では、図４（ａ）のように上記オーディオ領域１０をステレオ１（１３）とステレオ２（１４）に分割することが可能であり、アフレコ記録時、ステレオ１にはオリジナル音声が記録され、ステレオ２にはアフレコ音声が記録される。
【０００６】
アフレコ音声の記録は、ＩＴＩ領域９に記録されたパイロット信号を用いてヘッドのトラッキング制御を行いながら、ステレオ２にアフレコ音声を記録していく。これによってアフレコ編集部分の再生音としては、ステレオ１に記録されたオリジナル記録音声又はステレオ２に記録されたアフレコ記録音声を選択することができる。
【０００７】
一方、ＡＶインサートは、ＩＴＩ領域９に記録されたパイロット信号を用いてヘッドのトラッキング制御を行いながら、オーディオ領域１０、ビデオ領域１１及びサブコード領域１２に各データをインサート記録していく。トラッキングを行いながらインサート記録を行って行くので、オリジナル記録部とＡＶインサート記録部１５とのつなぎ部分でトラックＮｏ．の連続性が保たれている。
【０００８】
次に、トラッキング制御部６の動作について図５のフローチャートを用いて説明する。
トラッキング制御部６は、ステップＳ０１（以下、ステップ略）でインサート編集が判定されると、Ｓ１２でＩＴＩ領域のパイロット信号をトラッキング制御データとして選択し、通常再生を判定した場合には、Ｓ０２でビデオ領域のパイロット信号をトラッキング制御データとして選択する。
【０００９】
Ｓ０３でヘッドｂのパイロット信号出力が検出されると、Ｓ２４でＥｒｒの算出を行う。Ｅｒｒはトラッキングエラー算出結果に対するトラッキング制御方向を決定するために用いられる。一方、Ｓ０３でヘッドａのパイロット信号出力が検出されると、Ｓ０４で先に算出されたＥｒｒの極性を判定し、極性が正と判定された場合はＳ０５、極性が負と判定された場合はＳ３５に分岐し、各々トラッキングエラー（ＴＥｒｒ）を算出する。
【００１０】
ついでＳ０６で、ＴＥｒｒに所定のゲインを与えたトラッキング制御信号をキャプスタンモータ７に出力して、トラッキング制御が実行される。
以上の一連のトラッキング制御部６の動作は、Ｓ０７でトラッキング制御終了、つまり、通常再生又はインサート編集の終了が検出されるまで繰り返し行われる。
【００１１】
【発明が解決しようとする課題】
従来、テープの記録及び再生を行うヘッドａ、ｂのヘッド幅は、トラック幅のばらつきやトラック曲がりによらず安定した再生出力を得るために、記録トラックに対して幅広に設定されている。このような幅広のヘッドによってアフレコ記録及びインサート記録を行った場合のトラックパターンは、図６に示すようにオリジナルトラックとインサート記録トラックとに段差が生じてしまう。この段差は、オリジナルトラック幅からヘッド幅がはみ出すことにより生じるものである。
【００１２】
一方、再生時のヘッドのトラッキング制御は、トラック曲がりによらずトラック始端から終端に至るまで安定した再生出力を得るために、通常トラック中心部付近（ビデオ領域）のパイロット信号を用いて行われている。この場合、アフレコ記録済トラックでは、ビデオ領域とｌＴＩ領域が共にオリジナルトラックであり、両領域に段差がないことから、トラック始端から終端に至るまで良好な再生出力を得ることができる。
【００１３】
しかし、ＡＶインサート記録トラックの場合は、ビデオ領域とＩＴＩ領域とに段差が生じているため（ＡＶインサートでは、ＩＴＩ領域を残して、他の領域は上書きしてしまう）、テープ側端に位置しトラッキングずれの影響が顕著に現れやすいＩＴＩ領域の再生出力が大きく劣化してしまうことが懸念される。
【００１４】
このような段差を回避するために、アフレコ記録及びインサート記録時のトラッキングをテープ進行方向に対して遅れ方向にシフトさせる方法が考えられる。この方法を実行した場合のトラックパターンを図７に示す。この場合は、オリジナルトラックとインサート記録トラックとの段差は回避されるが、図示のように、インサート記録終了点でオリジナルトラックが大幅にやせてしまう。
特に、１フレーム周期でトラックやせを持つことになるアフレコ記録においては、再生出力が常時不安定となり、致命的欠点となる恐れがある。
【００１５】
本発明は、上記の問題を解決するために成されたもので、トラックの段差に関する問題と、アフレコ記録で生じる周期的なトラックやせという各問題を解決し、良好なインサート記録を行えるようにすることを目的としている。
【００１６】
【課題を解決するための手段】
本発明の記録再生装置は、テープ状記録媒体のテープ上を走査する磁気ヘッドと、前記磁気ヘッドによってテープ上に複数のトラックを形成し、前記トラックに対して基準信号と音声信号とを多重して記録する記録手段と、前記磁気ヘッドによって前記テープ状記録媒体のトラックから信号を再生する再生手段と、前記再生手段から出力された信号のレベルを検出する検出手段と、前記再生手段から出力された信号中の前記基準信号に基づいてトラッキングエラー信号を生成し、前記トラッキングエラー信号を用いて前記テープ状記録媒体上のトラックと前記磁気ヘッドとの間のトラッキングを制御するトラッキング制御手段とを有し、前記テープ状記録媒体の記録済みトラックに前記音声信号を記録する際、前記記録手段は、所定数の前記記録済みトラック群のうちの一部のトラックに対して前記記録済みトラック群毎に繰り返し前記音声信号の記録を行い、前記トラッキング制御手段は、前記検出手段により検出された、前記一部のトラックの直後のトラックから再生された信号のレベルに応じて、前記トラッキングエラー信号の値を変更することにより前記テープ状記録媒体のトラックと前記磁気ヘッドとの間のトラッキングシフト量を調整する。
【００１７】
本発明の記録再生方法は、テープ状記録媒体のテープ上を走査する磁気ヘッドを備えた記録再生装置による記録再生方法であって、前記磁気ヘッドによってテープ上に複数のトラックを形成し、前記トラックに対して基準信号と音声信号とを多重して記録する記録ステップと、前記磁気ヘッドによって前記テープ状記録媒体のトラックから信号を再生する再生ステップと、前記再生ステップにより再生された信号のレベルを検出する検出ステップと、前記再生ステップにより再生された信号中の前記基準信号に基づいてトラッキングエラー信号を生成し、前記トラッキングエラー信号を用いて前記テープ状記録媒体上のトラックと前記磁気ヘッドとの間のトラッキングを制御するトラッキング制御ステップとを有し、前記テープ状記録媒体の記録済みトラックに前記音声信号を記録する際、前記記録ステップでは、所定数の前記記録済みトラック群のうちの一部のトラックに対して前記記録済みトラック群毎に繰り返し前記音声信号の記録を行い、前記トラッキング制御ステップでは、前記検出ステップにより検出された、前記一部のトラックの直後のトラックから再生された信号のレベルに応じて、前記トラッキングエラー信号の値を変更することにより前記テープ状記録媒体のトラックと前記磁気ヘッドとの間のトラッキングシフト量を調整する。
【００２９】
【発明の実施の形態】
以下、本発明の実施の形態を図面と共に説明する。
本発明の第１の実施の形態は、図２に示すインサート編集システムと実質的に同一構成であるため、構成についての重複する説明は省略する。
【００３０】
図１は本発明の第１の実施の形態によるトラッキング制御部６の動作を示すフローチャートである。本実施の形態は、通常再生とＡＶインサートを行う場合である。
図１において、トラッキング制御部６は、Ｓ０１でインサート編集が判定されると、Ｓ１２でＩＴＩ領域のパイロット信号をトラッキング制御データとして選択し、通常再生を判定した場合は、Ｓ０２でビデオ領域のパイロット信号をトラッキング制御データとして選択する。
【００３１】
Ｓ０３でヘッドｂのパイロット信号出力が検出されると、Ｓ２４でＥｒｒの算出を行う。Ｅｒｒはトラッキングエラー算出結果に対するトラッキング制御方向を決定するために用いられる。一方、Ｓ０３でヘッドａのパイロット信号出力が検出されると、Ｓ０４で先に算出されたＥｒｒの極性を判定し、極性が正と判定された場合はＳ０５に、極性が負と判定された場合はＳ３５に分岐し、各々トラッキングエラー（ＴＥｒｒ）を算出する。
【００３２】
ついで、Ｓ０８でＡＶインサートであるか否かが判定され、ＡＶインサートであることが判定されると、Ｓ０９でトラッキングをシフトさせるための演算を行う。演算は算出されたＴＥｒｒにＥｒｒを所定比ｓｈｉｆｔ（ｓｈｉｆｔ＜１）でミックスする。ここで、ＥｒｒはＴＥｒｒ算出タイミングに対して１トラック分先行するタイミングで算出されるｆ１又はｆ２が支配的なトラッキングエラーであり、これを所定比でＴＥｒｒにミックスすることで、トラッキング状態がテープ進行方向に対して遅れ方向ヘジフトするように作用する。
【００３３】
尚、上記ｓｈｉｆｔは予め設定された経験値であり、ＡＶインサート記録トラックとオリジナルトラックのテープ進行方向側エッジが連続的に揃うようなトラッキングシフト量が設定されている。
【００３４】
ＴＥｒｒの算出が完了すると、Ｓ０６でＴＥｒｒに所定のゲインを与えたトラッキング制御信号がキャプスタンモータ７に出力され、トラッキング制御が行われる。
以上の一連のトラッキング制御部の動作は、Ｓ０７でトラッキング制御終了、つまり、通常再生又はインサート編集の終了が検出されるまで繰り返し行われる。
【００３５】
本実施の形態で実現されるＡＶインサート実行時のトラックパターンを図７（ｂ）に示す。図示のようにＡＶインサート記録トラックとオリジナルトラックのテープ進行方向側エッジが連続的に揃うようにトラッキングが行われている。
【００３６】
図８は本発明の第２の実施の形態によるインサート編集システムの構成を示す。本実施の形態は、通常再生とＡＶインサートとアフレコ記録を実行する場合である。図８の構成は、図２に再生ＲＦ検波回路１６を追加した構成となっている。この再生ＲＦ検波回路１６は、ヘッドａ、ｂの再生ＲＦ出力を検波するものである。
【００３７】
図９は本実施の形態によるトラッキング制御部６の動作を示すフローチャートである。
トラッキング制御部６は、制御開始時Ｓ１０で、まずアフレコ記録時のトラッキングシフト調整に用いる後述するｓｈｉｆｔ２を０クリアする。Ｓ０１でインサート編集が判定されると、Ｓ１２でＩＴＩ領域のパイロット信号をトラッキング制御データとして選択し、通常再生を判定した場合は、Ｓ０２でビデオ領域のパイロット信号をトラッキング制御データとして選択する。
【００３８】
Ｓ０３でヘッドｂのパイロット信号出力が検出されると、Ｓ２４でＥｒｒの算出を行う。Ｅｒｒはトラッキングエラー算出結果に対するトラッキング制御方向を決定するために用いられる。一方、Ｓ０３でヘッドａのパイロット信号出力が検出されると、Ｓ０４で先に算出されたＥｒｒの極性を判定し、極性が正と判定された場合はＳ０５に、極性が負と判定された場合はＳ３５に分岐し、各々トラッキングエラー（ＴＥｒｒ）を算出する。
【００３９】
ついでＳ０８でＡＶインサートか否かが判定され、ＡＶインサートが判定されると、Ｓ０９でトラッキングをシフトさせるための演算を行う。演算は算出されたＴＥｒｒにＥｒｒを所定比ｓｈｉｆｔ（ｓｈｉｆｔ＜１）でミックスする。ここで、ＥｒｒはＴＥｒｒ算出タイミングに対して１トラック分先行するタイミングで算出されるｆ１又はｆ２が支配的なトラッキングエラーであり、これを所定比でＴＥｒｒにミックスすることで、トラッキング状態がテープ進行方向に対して遅れ方向ヘシフトするように作用する。
【００４０】
ｓｈｉｆｔは予め設定された経験値であり、インサート記録トラックとオリジナルトラックのテープ進行方向側エッジが連続的に揃うようなトラッキングシフト量が設定されている。
【００４１】
一方、Ｓ０８からＳ４０に分岐し、Ｓ４０でアフレコ記録か否かが判定される。アフレコ記録が判定され、さらにＳ４１でトラックＮｏ．１（つまりアフレコ記録直後トラック）を再生中であることが検出されると、Ｓ４２で再生ＲＦ検波回路１６のＲＦ検波出力と予め設定されたしきい値との比較が行われる。ＲＦ検波出力がしきい値以上であれば、ｓｈｉｆｔ２にｎを加算した後、Ｓ４４で上記算出されたトラッキングシフト量ＴＥｒｒの調整を行う。
【００４２】
尚、上記しきい値は、再生データのサンプリングエラーレートを悪化させないＲＦ検出レベルとして設定された値であり、ｎはトラッキングシフト量の調整感度を決定する値でｎ＜１に設定される。
以下のｓｈｉｆｔ２の作用は前記ｓｈｉｆｔと同等であり、ここでは説明を省略する。
【００４３】
ＴＥｒｒの算出又は調整が完了すると、Ｓ０６でＴＥｒｒに所定のゲインを与えたトラッキング制御信号がキャプスタンモータ７に出力され、トラッキング制御が行われる。
以上のＳ１０を除く一連のトラッキング制御部６の動作は、Ｓ０７でトラッキング制御終了、つまり通常再生又はインサート編集の終了が検出されるまで繰り返し行われる。
【００４４】
以上の構成及び動作により、本実施の形態では、アフレコ開始直前のトラックパターンは図６（ａ）の状態となり、以降は徐々にトラッキング位置をテープ進行方向に対して遅れ方向にシフトさせながら、トラックＮｏ．１（アフレコ記録直後トラック）の再生データのサンプリングエラーレートを損なわないことを条件として、可能な限り図７（ａ）のトラックパターンに近づけ遷移させていく。
【００４５】
本実施の形態によれば、アフレコ記録時とＡＶインサート時のトラッキングシフト量の調整を各々独立に設定可能としたので、アフレコ記録時にはアフレコ記録部直後のトラックやせに起因する再生エラーレートの劣化を回避しながらトラックの段差を極力縮小することができる。
また、ＡＶインサート時に問題となるビデオ領域とＩＴＩ領域との段差に起因するＩＴＩ領域再生出力の劣化を回避することができるので、良好なインサート編集を実行することができる。
【００４６】
次に本発明の他の実施の形態としての記憶媒体について説明する。
本発明は、ハードウェア構成により実現することもできるが、ＣＰＵとメモリからなるコンピュータシステムによる構成で実現することもできる。コンピュータシステムに構成する場合、上記メモリは本発明による記憶媒体を構成する。即ち、前述した各実施の形態のフローチャートで説明した動作を実行するためのソフトウェアのプログラムコードを記憶した記憶媒体をシステムや装置で用い、そのシステムや装置のＣＰＵが上記記憶媒体に格納されたプログラムコードを読み出し、実行することにより、本発明の目的を達成することができる。
【００４７】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気媒体、磁気カード、不揮発性メモリカード等に構成して用いてよい。
【００４８】
従って、この記憶媒体を図２、図８に示したシステムや装置以外の他のシステムや装置で用い、そのシステムあるいはコンピュータがこの記憶媒体に格納されたプログラムコードを読み出し、実行することによっても、上記各実施の形態と同等の機能を実現できると共に、同等の効果を得ることができ、本発明の目的を達成することができる。
【００４９】
また、コンピュータ上で稼働しているＯＳ等が処理の一部又は全部を行う場合、あるいは記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができ、本発明の目的を達成することができる。
【００５０】
【発明の効果】
本発明によれば、アフレコ記録時に、アフレコ記録部の直後のトラックやせに起因する再生エラーレートの劣化を回避しながら、トラックの段差を極力縮小することができる。
【図面の簡単な説明】
【図１】本発明の第１の実施の形態によるトラッキング制御部の動作を示すフローチャートである。
【図２】本発明の第１の実施の形態及び従来のインサート編集システムの要部を示す構成図である。
【図３】記録テープのトラックパターンを示す構成図である。
【図４】アフレコ及びＡＶインサート記録時のトラックパターンを示す構成図である。
【図５】従来のトラッキング制御部の動作を示すフローチャートである。
【図６】アフレコ及びＡＶインサート記録時のトラックパターンを示す構成図である。
【図７】アフレコ及びＡＶインサート記録時のトラックパターンを示す構成図である。
【図８】本発明の第２の実施の形態によるトラッキング制御部の動作を示すフローチャートである。
【図９】本発明の第２の実施の形態及び従来のインサート編集システムの要部を示す構成図である。
【符号の説明】
１  ヘッドａ
２  ヘッドｂ
３  回転ドラム
４  ビデオ情報＆パイロット信号処理部
５  記録テープ
６  トラッキング制御部
７  キャプスタンモータ
８  トラック
９  ＩＴＩ領域
１０  Ａｕｄｉｏ領域
１１  Ｖｉｄｅｏ領域
１２  Ｓｕｂｃｏｄｅ領域
１３  ステレオ１（オリジナル記録音声）
１４  ステレオ２（アフレコ記録音声）
１５  インサート記録部
１６  再生ＲＦ検波回路
【図１】
0003997017.tif 000002
【図２】
0003997017.tif 000003
【図３】
0003997017.tif 000004
【図４】
0003997017.tif 000005
【図５】
0003997017.tif 000006
【図６】
0003997017.tif 000007
【図７】
0003997017.tif 000008
【図８】
0003997017.tif 000009
【図９】
0003997017.tif 000010